(57)【要約】  本発明はアップリンク送信タイミングアドバンスを実現する方法を開示している。当該方法は、ユーザ機器が、タイミングアドバンス量ＴＡ指示シグナリングを受信し、前記ＴＡ指示シグナリングに対応するＴＡ値と予め設定されたＴＡ調整オフセット量とを加算して、実際のアップリンク送信タイミングアドバンス量ＴＡ’を得、ユーザ機器が、前記実際のアップリンク送信タイミングアドバンス量ＴＡ’に応じてアップリンクデータを送信する、ことを含む。また、本発明は別のアップリンク送信タイミングアドバンスを実現する方法を開示している。従来技術にくらべて当該方法は、基地局とユーザ機器にＴＡ調整指示表を配置し、ＴＤＤシステムとＦＤＤシステムに前記ＴＡ調整指示表内の一部の項目が多重使用されるように改善した。また、本発明はアップリンク送信タイミングアドバンスを実現できる装置を開示している。本発明によれば、ＴＤＤシステムのアップリンクタイミングアドバンスを実現する具体的な方案を提供し、ＴＤＤとＦＤＤの設計の一致性を最大限に実現する。
2011519232.tif 000002
【特許請求の範囲】
【請求項１】
アップリンク送信タイミングアドバンスを実現する方法であって、
ユーザ機器は、タイミングアドバンス量ＴＡ指示シグナリングを受信し、前記ＴＡ指示シグナリングに対応するＴＡ値と予め設定されたＴＡ調整オフセット量とを加算して、実際のアップリンク送信タイミングアドバンス量ＴＡ’を得、
ユーザ機器は、前記実際のアップリンク送信タイミングアドバンス量ＴＡ’に応じてアップリンクデータを送信する、
ことを含むことを特徴とするアップリンク送信タイミングアドバンスを実現する方法。
【請求項２】
前記ＴＡ調整オフセット量は時分割複信システムのアップリンクからダウンリンクまでのガード間隔ＴＵＤであることを特徴とする請求項１に記載のアップリンク送信タイミングアドバンスを実現する方法。
【請求項３】
ユーザ機器には、ＴＡ指示シグナリングとＴＡ値との対応関係を含むＴＡ調整指示表が予め設定されており、
前記ユーザ機器がタイミングアドバンス量ＴＡ指示シグナリングを受信した後に、
ユーザ機器が前記ＴＡ指示シグナリングに基づいて前記ＴＡ調整指示表を検索して、対応するＴＡ値を得る、
ことをさらに含むことを特徴とする請求項１に記載のアップリンク送信タイミングアドバンスを実現する方法。
【請求項４】
前記ユーザ機器が前記実際のアップリンク送信タイミングアドバンス量ＴＡ’に応じてアップリンクデータを送信した後に、
基地局がユーザ機器から送信されたアップリンクデータを同期に検出して、ユーザ機器の次のアップリンクデータ送信に必要なタイミングアドバンス量を決定し、前記タイミングアドバンス量に対応するＴＡ指示シグナリングをユーザ機器に送信する、
ことをさらに含むことを特徴とする請求項１に記載のアップリンク送信タイミングアドバンスを実現する方法。
【請求項５】
ユーザ機器であって、
基地局からのＴＡ指示シグナリングを受信するシグナリング受信モジュールと、
ＴＡ調整オフセット量を設定し記憶し、前記ＴＡ指示シグナリングに対応するＴＡ値と前記ＴＡ調整オフセット量とを加算して、実際のアップリンク送信タイミングアドバンス量ＴＡ’を得るオフセット調整モジュールと、
前記オフセット調整モジュールで得られた実際のアップリンク送信タイミングアドバンス量ＴＡ’に基づいて、アップリンクデータを送信するアップリンクデータ送信モジュールと、
を含むことを特徴とするユーザ機器。
【請求項６】
前記ＴＡ調整オフセット量は時分割複信システムのアップリンクからダウンリンクまでのガード間隔ＴＵＤであることを特徴とする請求項５に記載のユーザ機器。
【請求項７】
ＴＡ指示シグナリングとＴＡ値との対応関係を含むＴＡ調整指示表を設定し記憶するＴＡ調整指示モジュールと、
前記ＴＡ調整指示モジュールのＴＡ調整指示表を検索して、前記シグナリング受信モジュールで受信されたＴＡ指示シグナリングに対応するＴＡ値を得て、前記ＴＡ値を前記オフセット調整モジュールに出力するマッピングモジュールと、
をさらに含むことを特徴とする請求項５に記載のユーザ機器。
【請求項８】
アップリンク送信タイミングアドバンスを実現する方法であって、
基地局とユーザ機器にＴＡ調整指示表を設定し、ＴＤＤシステムとＴＤＤシステムは前記ＴＡ調整指示表内の一部の項目を多重使用し、
基地局はユーザ機器から送信されたアップリンクデータを同期に検出して、ユーザ機器のアップリンクデータ送信に必要な送信タイミングアドバンス量ＴＡを決定して、基地局に設定されたＴＡ調整指示表に基づいて前記ＴＡをＴＡ指示シグナリングにマッピングしてユーザ機器に送信し、
ユーザ機器は受信されたＴＡ指示シグナリングに基づいてユーザ機器に設定されたＴＡ調整指示表を検索して、対応するＴＡ値を得、
ユーザ機器はＴＡのタイミングアドバンス量に応じてアップリンクデータを送信する、
ことを含むことを特徴とするアップリンク送信タイミングアドバンスを実現する方法。
【請求項９】
前記ＴＤＤシステムとＦＤＤシステムに共通に使用されるＴＡ調整指示表に統一のＴＡ調整粒度ｄｅｌｔａ＿ＴＡを採用し、ＴＡ値の範囲は０〜ＴＡ＿ｍａｘ＿ＦＤＤ＋ＴＵＤであり、ここで、ＴＡ＿ｍａｘ＿ＦＤＤはＦＤＤシステムのセルの最大タイミングアドバンス量であり、ＴＵＤはＴＤＤシステムのアップリンクからダウンリンクまでのガード時間であり、前記ＴＡ調整指示表においてはＴＡ値の昇順に配列され、ＦＤＤシステムの基地局は前記ＴＡ調整指示表内の第０項〜第
【数１】
2011519232.tif 000012
項を使用してＦＤＤシステムのＴＡ値を指示し、ＴＤＤ基地局は表内の第
【数２】
2011519232.tif 000013
項〜第
【数３】
2011519232.tif 000014
項を使用してＴＤＤシステムのＴＡ値を指示し、記号
【数４】
2011519232.tif 000015
は整数への切り上げを表す、ことを特徴とする請求項８に記載のアップリンク送信タイミングアドバンスを実現する方法。
【請求項１０】
基地局であって、
ＴＡ指示シグナリングとＴＡ値との対応関係を含み、ＴＤＤシステムとＴＤＤシステムとによってその内の一部の項目が多重使用されるＴＡ調整指示表を設定し記憶するＴＡ調整指示モジュールと、
受信されたアップリンクデータを同期に検出し、検出結果に基づいてユーザ機器のアップリンクデータ送信に必要なＴＡを決定する同期検出モジュールと、
前記ＴＡ調整指示モジュール内のＴＡ調整指示表を検索して、同期検出モジュールで決定されたＴＡ値に対応するＴＡ指示シグナリングを得るマッピングモジュールと、
前記マッピングモジュールで得られたＴＡ指示シグナリングをユーザ機器へ送信するＴＡ指示モジュールと、
を含むことを特徴とする基地局。
【請求項１１】
ユーザ機器であって、
ＴＡ指示シグナリングとＴＡ値との対応関係を含み、ＴＤＤシステムとＴＤＤシステムとによってその内の一部の項目が多重使用されるＴＡ調整指示表を設定し記憶するＴＡ調整指示モジュールと、
基地局からのＴＡ指示シグナリングを受信するシグナリング受信モジュールと、
前記ＴＡ調整指示モジュールのＴＡ調整指示表を検索して、前記シグナリング受信モジュールで受信されたＴＡ指示シグナリングに対応するＴＡ値を得るマッピングモジュールと、
前記マッピングモジュールで得られたＴＡ値に基づいてアップリンクデータを送信するアップリンクデータ送信モジュールと、
を含むことを特徴とするユーザ機器。
【発明の詳細な説明】
【技術分野】
【０００１】
本発明は移動通信技術分野に関し、特に、アップリンク送信タイミングアドバンスを実現する方法および装置に関する。
【背景技術】
【０００２】
直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術を採用したシステムでは、同一の時刻で異なるユーザ機器（ＵＥ：Ｕｓｅｒ  Ｅｑｕｉｐｍｅｎｔ）により送信されるアップリンクデータ間の直交性を保証するために、複数のＵＥの信号を基地局（ＮｏｄｅＢ）に「同期受信」させる必要があり、即ち、各ＵＥのアップリンク信号が基地局に同時に着信する必要がある。具体的には、同一のアップリンクサブフレームで送信される異なるＵＥのデータが基地局に着信する時間誤差をサイクリックプレフィックス（ＣＰ：Ｃｙｃｌｉｃ  Ｐｒｅｆｉｘ）の範囲内にあるように確保して実現する。各ＵＥから基地局までの距離が異なるため、各ＵＥの送信クロックを調整する必要があって、距離の遠いＵＥが早く送信するように、距離の近いＵＥが遅く送信するようにし、このような操作はアップリンク同期またはタイミング調整（Ｔｉｍｉｎｇ  Ａｌｉｇｎｍｅｎｔ）と呼ばれる。具体的に、基地局はアップリンクタイミングアドバンス量（ＴＡ：Ｔｉｍｉｎｇ  ａｄｖａｎｃｅ）を各ＵＥに送信し、ＵＥは受信されたＴＡに基づいてアップリンクサブフレームの送信始点を決定する。
【０００３】
周波数分割複信（ＦＤＤ：Ｆｒｅｑｕｅｎｃｙ  Ｄｉｖｉｓｉｏｎ  Ｄｕｐｌｅｘ）システムにとって、当該アップリンクタイミングアドバンス量はセルにおけるＵＥの位置のみに関わる。セルにおけるＵＥの位置により、ＵＥと基地局との間で無線信号が１回往復伝播されるのに必要な時間（ＴＲＴＴ）が決定される。
【０００４】
ＴＲＴＴ＝２×Ｄ／Ｃであり、ここで、ＤはＵＥと基地局との間の距離であり、Ｃは光速度で、Ｃ＝３×１０８ｍ／ｓである。
【０００５】
伝播遅延Ｔｐｒｏｐ＝０．５×ＴＲＴＴ＝ＴＲＴＴ／２である。
【０００６】
図１に示すように、基地局から図示のＵＥへ送信されるダウンリンクデータＤ１はＴｐｒｏｐ＝ＴＲＴＴ／２の伝播遅延を経てからＵＥに着信し、このようにＵＥ受信機のフレームタイミングクロックは基地局のクロックよりＴＲＴＴ／２遅延される。
【０００７】
同様に、ＵＥから送信されるアップリンクデータもＴＲＴＴ／２遅延されて基地局に着信し、ＵＥから送信されるアップリンクデータを基地局のアップリンクサブフレームの受信窓口内に的確に落ちるためには、ＵＥからそのダウンリンクフレームタイミングクロックよりＴＲＴＴアドバンスしてアップリンクデータを送信する必要があり、そのタイミングアドバンス量が即ちＴＡである。
【０００８】
時分割複信（ＴＤＤ：Ｔｉｍｅ  Ｄｉｖｉｓｉｏｎ  Ｄｕｐｌｅｘ）システムにとっては、アップリンクダウンリンク変換があるため、このタイミングアドバンス量がセルにおけるＵＥの位置に関わる以外に、基地局の受信から送信までの変換時間にも関わる。アップリンクダウンリンクの変換があり、基地局とＵＥのアップリンクダウンリンクの切替を、無線周波数デバイスの変換により実現する必要があるため、ダウンリンクからアップリンクまでのガード時間（ＴＤＵ）およびアップリンクからダウンリンクまでのガード時間（ＴＵＤ）を必要とし、ガード時間内で基地局はデータの送受信操作を行わない。具体的な値は以下の通りである。
［数式１］ＴＤＵ＝ｍａｘ（ＴＲＴＴ＋ＴＵＥ，Ｒｘ−Ｔｘ，ＴｅＮｏｄｅＢ，Ｔｘ−Ｒｘ）
［数式２］ＴＵＤ＝ｍａｘ（ＴＵＥ，Ｔｘ−Ｒｘ，ＴｅＮｏｄｅＢ，Ｒｘ−Ｔｘ）
【０００９】
ここで、ＴＵＥ，Ｒｘ−ＴｘはＵＥの受信から送信までの変換時間であり、ＴｅＮｏｄｅＢ，Ｔｘ−Ｒｘは基地局の送信から受信までの変換時間であり、ＴＵＥ，Ｔｘ−ＲｘはＵＥの送信から受信までの変換時間であり、ＴｅＮｏｄｅＢ，Ｒｘ−Ｔｘは基地局の受信から送信までの変換時間である。この４つのパラメータは基地局とＵＥのデバイス性能によって決定され、最終的には規格において決定されるものであり、あるいは時間テンプレートと呼ばれるか、例えば、表１に示す典型値のようであり、単位はマイクロ秒（μｓ）である。
【００１０】
【表１】
2011519232.tif 000003
【００１１】
従来のＬＴＥ  ＴＤＤシステムには１つのガード間隔（ＧＰ）しか存在しなく、ここで、ＧＰにはダウンリンクからアップリンクまでのガード間隔ＴＤＵとアップリンクからダウンリンクまでのガード間隔ＴＵＤが同時に含まれる。即ち、
ＧＰ＝ＴＤＵ＋ＴＵＤ
【００１２】
実際のＴＵＤは基地局側のアップリンク受信タイミング窓口のアドバンスにより実現され、図２に示すように、基地局のダウンリンク送信窓口とアップリンク受信窓口との間の間隔はＴＤＵであり、アップリンク受信窓口から次のダウンリンク送信窓口までの間隔はＴＵＤである。基地局から送信されるダウンリンクデータはＴＲＴＴ／２遅延されてＵＥに受信される。ＵＥにとって、その送信するアップリンクデータを基地局受信窓口内に的確に落ちるためには、ＵＥのアップリンク送信タイミングアドバンス量がＴＴＡ＝ＴＲＴＴ＋ＴＵＤであるべきである。つまり、ＴＤＤシステムにおいてＵＥのタイミングアドバンス量はセルにおけるＵＥの位置に関わるだけでなく、アップリンクからダウンリンクまでのガード時間にも関わり、これはＦＤＤシステムとの相違点である。しかしながら、従来技術ではＴＤＤシステムにおけるタイミングアドバンス量ＴＡを如何に指示するかについて具体的な解決手段が提供されていない。
【発明の開示】
【発明が解決しようとする課題】
【００１３】
本発明は上記に鑑みてなされたものであって、時分割複信システムに適用できるアップリンク送信タイミングアドバンスを実現する方法および装置を提供することを目的とする。
【課題を解決するための手段】
【００１４】
本発明の実施例に係るアップリンク送信タイミングアドバンスを実現する方法であって、
ユーザ機器は、タイミングアドバンス量ＴＡ指示シグナリングを受信し、前記ＴＡ指示シグナリングに対応するＴＡ値と予め設定されたＴＡ調整オフセット量とを加算して、実際のアップリンク送信タイミングアドバンス量ＴＡ’を得、
ユーザ機器は、前記実際のアップリンク送信タイミングアドバンス量ＴＡ’に応じてアップリンクデータを送信する、ことを含む。
本発明の実施例に係る上記のアップリンク送信タイミングアドバンスの方法を実現するユーザ機器であって、
基地局からのＴＡ指示シグナリングを受信するシグナリング受信モジュールと、
アップリンクからダウンリンクまでのガード時間ＴＵＤを設定し記憶し、前記ＴＡ指示シグナリングに対応するＴＡ値と前記ガード時間ＴＵＤとを加算して、実際のアップリンク送信タイミングアドバンス量ＴＡ’＝ＴＡ＋ＴＵＤを得るオフセット調整モジュールと、
前記オフセット調整モジュールで得られた実際のアップリンク送信タイミングアドバンス量ＴＡ’に基づいて、アップリンクデータを送信するアップリンクデータ送信モジュールと、を含む。
【００１５】
また、本発明の実施例に係るアップリンク送信タイミングアドバンスを実現する方法であって、
基地局とユーザ機器にＴＡ調整指示表を設定し、ＴＤＤシステムとＴＤＤシステムは前記ＴＡ調整指示表内の一部の項目を多重使用し、
基地局はユーザ機器から送信されたアップリンクデータを同期に検出して、ユーザ機器の次のアップリンクデータ送信に必要な送信タイミングアドバンス量ＴＡを決定して、基地局に設定されたＴＡ調整指示表に基づいて前記ＴＡをＴＡ指示シグナリングにマッピングしてユーザ機器に送信し、
ユーザ機器は受信されたＴＡ指示シグナリングに基づいてユーザ機器に設定されたＴＡ調整指示表を検索して、対応するＴＡ値を得、
ユーザ機器はＴＡのタイミングアドバンス量に応じて次のアップリンクデータを送信する、ことを含む。
【００１６】
また、本発明の実施例に係る上記のアップリンク送信タイミングアドバンスの方法を実現する基地局であって、
ＴＡ指示シグナリングとＴＡ値との対応関係を含み、ＴＤＤシステムとＴＤＤシステムとによってその内の一部の項目が多重使用されるＴＡ調整指示表を設定し記憶するＴＡ調整指示モジュールと、
受信されたアップリンクデータを同期に検出し、検出結果に基づいてユーザ機器の次のアップリンクデータ送信に必要なＴＡを決定する同期検出モジュールと、
前記ＴＡ調整指示モジュール内のＴＡ調整指示表を検索して、同期検出モジュールで決定されたＴＡ値に相応するＴＡ指示シグナリングを得るマッピングモジュールと、
前記マッピングモジュールで得られたＴＡ指示シグナリングをユーザ機器へ送信するＴＡ指示モジュールと、を含む。
【００１７】
また、本発明の実施例に係る上記アップリンク送信タイミングアドバンスの方法を実現するユーザ機器であって、
ＴＡ指示シグナリングとＴＡ値との対応関係を含み、ＴＤＤシステムとＴＤＤシステムとによってその内の一部の項目が多重使用されるＴＡ調整指示表を設定し記憶するＴＡ調整指示モジュールと、
前記ＴＡ調整指示モジュールのＴＡ調整指示表を検索して、前記シグナリング受信モジュールで受信されたＴＡ指示シグナリングに対応するＴＡ値を得るマッピングモジュールと、
前記マッピングモジュールで得られたＴＡ値に基づいてアップリンクデータを送信するアップリンクデータ送信モジュールと、を含む。
【発明の効果】
【００１８】
上記の解決手段からわかるように、本発明の実施例では、ＴＡの調整オフセット量をユーザ機器に設定し、ユーザ機器は受信されたＴＡを調整して、実際のアップリンクタイミングアドバンス量を得、または、ＦＤＤシステムとＴＤＤシステムとによって多重使用されるＴＡ調整指示表を採用して、ＴＤＤシステムにおけるＴＡを得る。本発明の実施例によれば、ＴＤＤシステムのアップリンク送信タイミングアドバンスを実現する具体的な方案を提供し、ＴＤＤとＦＤＤの設計の一致性を最大限に実現する。
【図面の簡単な説明】
【００１９】
【図１】ＦＤＤシステムに伝播遅延が現れる原理を示す図である。
【図２】ＴＤＤシステムにおけるタイミングアドバンス量と、伝播遅延と、ガード時間との関係を示す図である。
【図３】本発明の実施例１に係るアップリンク送信タイミングアドバンスを実現するフローチャートである。
【図４】本発明の実施例１に係るユーザ機器のモジュールを示す図である。
【図５】本発明の実施例２に係るアップリンク送信タイミングアドバンスを実現するフローチャートである。
【図６】本発明の実施例２に係る基地局のモジュールを示す図である。
【図７】本発明の実施例２に係るユーザ機器のモジュールを示す図である。
【発明を実施するための最良の形態】
【００２０】
ＴＤＤシステムとＦＤＤシステムとのタイミングアドバンス量の異なりに対して、本発明の実施例では、ＴＤＤシステムに適用できるアップリンク送信タイミングアドバンスを実現する解決方案を提供している。この解決手段の特徴は、ＦＤＤシステムのアップリンク送信タイミングアドバンス手段の枠組みをなるべく保持するとともに、ＴＤＤシステムの実際のニーズを満たすことができることである。
【００２１】
本発明の目的、解決手段とメリットをさらに明確にするために、以下、図面を参照して本発明をさらに詳しく説明する。
【００２２】
［実施例１］
基地局側ではＦＤＤシステムと同じ処理方式を保持し、ＵＥ側でＴＤＤシステムのニーズに適応するように、ＴＡを変化する。
【００２３】
本実施例において、基地局側から送信されるＴＡタイミングアドバンス量の指示はＦＤＤシステムと完全に同じ方法を採用し、即ち、ＴＡのダイナミックレンジ、粒度、シグナリング指示、および各項目により表されるＴＡ値が全てＦＤＤシステムと同じである。ＴＵＤを１つのパラメータとしてＵＥに固定化し、数式２と規格で定義された表２に示すような時間テンプレートとに基づいて具体的なＴＵＤパラメータを得、得られたＴＵＤを固定値としてＵＥに記憶する。ＵＥは基地局から送信されたタイミングアドバンス量ＴＡを受信した場合、ＴＵＤと加算してＴＡ’＝ＴＡ＋ＴＵＤを得、ＴＡ’を実際のアップリンク送信タイミングアドバンス量としてアップリンク送信のタイミング時刻を決定する。
【００２４】
実施例１に係るアップリンク送信タイミングアドバンスを実現する具体的なフローは図３に示すように、以下のようなステップを含む。
【００２５】
ステップ３０１で、ＴＤＤ基地局とＵＥに予めＴＡ調整指示表を設定し、ＴＡ調整指示表にはＴＡ指示シグナリングとＴＡ値との対応関係が含まれる。表２は該ＴＡ調整指示表の一例を示し、この表２における各項目の内容はＦＤＤシステムと同じように設定されることができ、即ち、数量化レベル、粒度、ダイナミックレンジ、および各シグナリング指示項目に対応するＴＡ調整値は全てＦＤＤシステムと同じように設定されることができる。
【００２６】
【表２】
2011519232.tif 000004
【００２７】
ＦＤＤシステムにおいて、セル端のＵＥに対して、それに必要なタイミングアドバンス量は最大のＴＡ＿ｍａｘ＿ＦＤＤ＝ＴＲＴＴ＿ｍａｘである。ＴＡ調整粒度をｄｅｌｔａ＿ＴＡに設定する場合、該ＴＡダイナミックレンジ［０、ＴＡ＿ｍａｘ＿ＦＤＤ］内の全てのＴＡ値を数量化指示するに
【００２８】
【数１】
2011519232.tif 000005
【００２９】
ｂｉｔｓのシグナリングが必要であり、ここで、記号
【００３０】
【数２】
2011519232.tif 000006
【００３１】
は整数への切り上げを表す。例えば、ＬＴＥにおいて最大１００ｋｍのセル半径を支持し、対応するＴＲＴＴ＿ｍａｘ＝２＊１００ｋｍ／Ｃ  ＝６６６．６７ｕｓであり、つまり、本セルのＵＥの最大タイミングアドバンス量はＴＡ＿ｍａｘ＿ＦＤＤ＝ＴＲＴＴ＿ｍａｘ＝６６６．６７ｕｓである。ＴＡ調整粒度をｄｅｌｔａ＿ＴＡ＝０．５２ｕｓ（即ち１６Ｔｓ）に設定する場合、Ｍ＝１１になる。基地局は異なるＴＡ指示シグナリングを介してセルの異なる位置にあるＵＥの送信タイミングアドバンス量ＴＡを設定する。
【００３２】
ステップ３０２で、ＵＥ側に予めＴＡ調整オフセット量ＴＵＤを設定する。前記ＴＡ調整オフセット量ＴＵＤはＴＤＤシステムのアップリンクからダウンリンクまでのガード間隔ＴＵＤであり、数式ＴＵＤ＝ｍａｘ（ＴＵＥ，Ｔｘ−Ｒｘ，ＴｅＮｏｄｅＢ，Ｒｘ−Ｔｘ）によって決定されてよく、または、基地局からＴＵＤを直接にＵＥに送信してもよい。
【００３３】
上記のステップ３０１と３０２は初期化ステップであり、即ちシステムの初期化段階で１回実行するだけでよい。
【００３４】
ステップ３０３で、ＴＤＤ基地局はＵＥから送信されたアップリンクデータを同期に検出し、ＵＥのアップリンクデータ送信に必要な送信タイミングアドバンス量ＴＡを決定する。
【００３５】
ステップ３０４で、ＴＤＤ基地局は、例えば表２に示すようなＴＡ調整指示表に基づいて、ＴＡ値をＭビットのシグナリングにマッピングしてＵＥに通知する。
【００３６】
ステップ３０５で、ＵＥは該Ｍビットのシグナリング通知を受信し、例えば表２に示すようなＴＡ調整指示表に基づいて、それを具体的なＴＡ値にマッピングする。
【００３７】
ステップ３０６で、ＵＥは該通知のＴＡ値と予め設定されたＴＡ調整オフセット量ＴＵＤとを加算して実際のアップリンク送信タイミングアドバンス量ＴＡ’＝ＴＡ＋ＴＵＤを形成する。
【００３８】
ステップ３０７で、ＵＥは実際のアップリンク送信タイミングアドバンス量ＴＡ’に応じてアップリンクデータを送信してから、ステップ３０３へ移行する。
【００３９】
上記の実施例におけるフローを実現するためのＵＥは、従来のＵＥのもとで改善される必要があり、具体的には図４に示すように、
ＴＡ指示シグナリングとＴＡ値との対応関係を含むＴＡ調整指示表を設定し記憶するＴＡ調整指示モジュール４０１と、
基地局からのＴＡ指示シグナリングを受信するシグナリング受信モジュール４０２と、
前記ＴＡ調整指示モジュールのＴＡ調整指示表を検索して、前記シグナリング受信モジュールで受信されたＴＡ指示シグナリングに対応するＴＡ値を得るマッピングモジュール４０３と、
アップリンクからダウンリンクまでのガード時間ＴＵＤを設定し記憶し、前記マッピングモジュール４０３で得られたＴＡ値と前記ガード時間ＴＵＤとを加算して、実際のアップリンク送信タイミングアドバンス量ＴＡ’＝ＴＡ＋ＴＵＤを得るオフセット調整モジュール４０４と、
前記オフセット調整モジュール４０４で得られた実際のアップリンク送信タイミングアドバンス量ＴＡ’に基づいて、アップリンクデータを送信するアップリンクデータ送信モジュール４０５と、を含む。
【００４０】
［実施例２］
基地局とＵＥにＦＤＤシステムとＴＤＤシステムに共通に使用されるＴＡ調整指示表を配置し、ＦＤＤ基地局とＴＤＤ基地局は該ＴＡ調整指示表の異なる部分集合を使用してＦＤＤ  ＵＥとＴＤＤ  ＵＥのアップリンクタイミングアドバンス量を指示し、即ち、ＴＤＤシステムとＴＤＤシステムは前記ＴＡ調整指示表内の一部の項目を多重使用し、ＦＤＤ  ＵＥとＴＤＤ  ＵＥは該指示されたＴＡに基づいて同じタイミングアドバンス操作を行い、ＴＤＤ  ＵＥはＦＤＤシステムでの処理と同じ処理を保持し、即ち、受信されたＴＡに基づいてアップリンクデータ送信を行う。
【００４１】
ＴＤＤシステムのＴＡ粒度をＦＤＤシステムのＴＡ粒度と同じように確保しながら、ＴＤＤシステムの最大ＴＡダイナミックレンジに基づいて、ＴＤＤシステムとＦＤＤシステムとに共通に使用されるＴＡ調整指示表を設計する。ＴＤＤシステムの最大タイミングアドバンス量ＴＡ＿ｍａｘ＿ＴＤＤおよびＦＤＤシステムの最大タイミングアドバンス量ＴＡ＿ｍａｘ＿ＦＤＤは以下のような関係を満たす。
［数式３］ＴＡ＿ｍａｘ＿ＴＤＤ＝ＴＡ＿ｍａｘ＿ＦＤＤ＋ＴＵＤ
【００４２】
従って、該ＴＡダイナミックレンジ［０，ＴＡ＿ｍａｘ＿ＴＤＤ］内の全てのＴＡ値を指示するに
【００４３】
【数３】
2011519232.tif 000007
【００４４】
ｂｉｔｓのシグナリングが必要である。該ダイナミックレンジに基づいてＴＡ調整指示表を設計し、該表はＦＤＤシステムとＴＤＤシステムとに共通に使用され、ＦＤＤ基地局は表内の第０項目から第
【００４５】
【数４】
2011519232.tif 000008
【００４６】
項目までを使用してＦＤＤシステムのＴＡ値を指示する。ＴＤＤ基地局は表内の第
【００４７】
【数５】
2011519232.tif 000009
【００４８】
項目から第
【００４９】
【数６】
2011519232.tif 000010
【００５０】
項目までを使用してＴＤＤシステムのＴＡ値を指示する。即ち、ＴＤＤシステムとＦＤＤシステムは同一のＴＡシグナリング指示表内の異なる集合を使用してそのＴＡ値を指示する。
【００５１】
例えば、表２と数式２によって得られるＴＵＤの保守値は２０ｕｓであり、従ってＴＡ＿ｍａｘ＿ＴＤＤ＝ＴＡ＿ｍａｘ＿ＦＤＤ＋ＴＵＤ＝666.67us＋20us＝686.67usであり、ＴＡ調整粒度をまた０．５２ｕｓ（１６Ｔｓ）に設定する場合、数量化指示にＭ’＝１１ｂｉｔｓのシグナリングが必要であり、下表に示すようなＴＡ指示表を形成する。ＦＤＤは第０〜１２８３項目を使用して異なるＴＡ調整値を指示し、ＴＤＤは第３９〜１３２１項目を使用して異なるＴＡ調整値を指示し、ここで、第３９行〜第１２８３行はＦＤＤシステムとＴＤＤシステムに共通に使用されるＴＡ調整値である。
【００５２】
【表３】
2011519232.tif 000011
【００５３】
本発明の実施例２に係るアップリンク送信タイミングアドバンスを実現するフローは図５に示すように、以下のようなステップを含む。
【００５４】
ステップ５０１で、ＴＤＤ基地局とＵＥに予めＴＡ調整指示表を設定し、該表は例えば表３に示すようであり、ＴＤＤシステムはＦＤＤシステムとＴＡ調整粒度が同じであるが、表内でＦＤＤシステムと異なる集合を使用してその具体的なＴＡ調整値を指示する。
【００５５】
ステップ５０２で、ＴＤＤ基地局はＵＥから送信されたアップリンクデータを同期に検出し、ＵＥのアップリンクデータ送信に必要な送信タイミングアドバンス量ＴＡを決定する。
【００５６】
ステップ５０３で、ＴＤＤ基地局は、例えば表３に示すような、ＴＤＤが使用する集合内の対応関係に基づいて、ＴＡ値をＭビットのシグナリングにマッピングしてＵＥに通知する。
【００５７】
ステップ５０４で、ＵＥは該Ｍビットのシグナリング通知を受信し、例えば表３に示すような、ＴＤＤが使用する集合内の対応関係に基づいて、それを具体的なＴＡ調整値にマッピングする。
【００５８】
ステップ５０５で、ＵＥは前記ＴＡ調整値に応じてアップリンクデータを送信し、ステップ５０２へ移行する。
【００５９】
実施例２のフローを実現するための基地局のモジュールは図６に示すように、
ＴＡ指示シグナリングとＴＡ値との対応関係を含み、ＴＤＤシステムとＴＤＤシステムとによってその内の一部の項目が多重使用されるＴＡ調整指示表を設定し記憶するＴＡ調整指示モジュール６０１と、
受信されたアップリンクデータを同期に検出し、検出結果に基づいてユーザ機器のアップリンクデータ送信に必要なＴＡを決定する同期検出モジュール６０２と、
前記ＴＡ調整指示モジュール内のＴＡ調整指示表を検索して、同期検出モジュールで決定されたＴＡ値に相応するＴＡ指示シグナリングを得るマッピングモジュール６０３と、
前記マッピングモジュール６０３で得られたＴＡ指示シグナリングをユーザ機器へ送信するＴＡ指示モジュール６０４と、を含む。
【００６０】
対応するＵＥのモジュール構成は図７に示すように、
ＴＡ指示シグナリングとＴＡ値との対応関係を含み、ＴＤＤシステムとＴＤＤシステムとによってその内の一部の項目が多重使用されるＴＡ調整指示表を設定し記憶するＴＡ調整指示モジュール７０１と、
基地局からのＴＡ指示シグナリングを受信するシグナリング受信モジュール７０２と、
前記ＴＡ調整指示モジュール７０１のＴＡ調整指示表を検索して、前記シグナリング受信モジュール７０２で受信されたＴＡ指示シグナリングに対応するＴＡ値を得るマッピングモジュール７０３と、
前記マッピングモジュール７０３で得られたＴＡ値に基づいてアップリンクデータを送信するアップリンクデータ送信モジュール７０４と、を含む。
【００６１】
本発明の実施例は、ＴＤＤシステムのアップリンク送信タイミングアドバンスを実現する具体的な方案を提供して、プロトコルの空白を埋めた。該方案によればＴＤＤとＦＤＤの設計の一致性を最大限に実現し、ＦＤＤシステムにおいて既に成熟した処理方法をＴＤＤシステムに便利に移植でき、ＴＤＤシステムの実施を便利にする。
【００６２】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【００６３】
４０１，６０１，７０１  ＴＡ調整指示モジュール
４０２，７０２  シグナリング受信モジュール
４０３，６０３，７０３  マッピングモジュール
４０４  オフセット調整モジュール
４０５，７０４  アップリンクデータ送信モジュール
６０２  同期検出モジュール
６０４  ＴＡ指示モジュール
【図１】
2011519232.tif 000016
【図２】
2011519232.tif 000017
【図３】
2011519232.tif 000018
【図４】
2011519232.tif 000019
【図５】
2011519232.tif 000020
【図６】
2011519232.tif 000021
【図７】
2011519232.tif 000022
【手続補正書】
【提出日】平成22年12月22日(2010.12.22)
【手続補正１】
【補正対象書類名】明細書
【補正対象項目名】全文
【補正方法】変更
【補正の内容】
【発明の詳細な説明】
【技術分野】
【０００１】
本発明は移動通信技術分野に関し、特に、アップリンク送信タイミングアドバンス指示を実現する方法および装置に関する。
【背景技術】
【０００２】
直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術を採用したシステムでは、同一の時刻で異なるユーザ機器（ＵＥ：Ｕｓｅｒ  Ｅｑｕｉｐｍｅｎｔ）により送信されるアップリンクデータ間の直交性を保証するために、複数のＵＥの信号を基地局（eＮｏｄｅＢ）に「同期受信」させる必要があり、即ち、各ＵＥのアップリンク信号が基地局に同時に着信する必要がある。具体的には、同一のアップリンクサブフレームで送信される異なるＵＥのデータが基地局に着信する時間誤差をサイクリックプレフィックス（ＣＰ：Ｃｙｃｌｉｃ  Ｐｒｅｆｉｘ）の範囲内にあるように確保して実現する。各ＵＥから基地局までの距離が異なるため、各ＵＥの送信クロックを調整する必要があって、距離の遠いＵＥが早く送信するように、距離の近いＵＥが遅く送信するようにし、このような操作はアップリンク同期またはタイミング調整（Ｔｉｍｉｎｇ  Ａｌｉｇｎｍｅｎｔ）と呼ばれる。具体的に、基地局はアップリンクタイミングアドバンス量（ＴＡ：Ｔｉｍｉｎｇ  ａｄｖａｎｃｅ）を各ＵＥに送信し、ＵＥは受信されたＴＡに基づいてアップリンクサブフレームの送信始点を決定する。
【０００３】
周波数分割複信（ＦＤＤ：Ｆｒｅｑｕｅｎｃｙ  Ｄｉｖｉｓｉｏｎ  Ｄｕｐｌｅｘ）システムにとって、当該アップリンクタイミングアドバンス量はセルにおけるＵＥの位置のみに関わる。セルにおけるＵＥの位置により、ＵＥと基地局との間で無線信号が１回往復伝播されるのに必要な時間（ＴＲＴＴ）が決定される。
【０００４】
ＴＲＴＴ＝２×Ｄ／Ｃであり、ここで、ＤはＵＥと基地局との間の距離であり、Ｃは光速度で、Ｃ＝３×１０８ｍ／ｓである。
【０００５】
伝播遅延Ｔｐｒｏｐ＝０．５×ＴＲＴＴ＝ＴＲＴＴ／２である。
【０００６】
図１に示すように、基地局から図示のＵＥへ送信されるダウンリンクデータＤ１はＴｐｒｏｐ＝ＴＲＴＴ／２の伝播遅延を経てからＵＥに着信し、このようにＵＥ受信機のフレームタイミングクロックは基地局のクロックよりＴＲＴＴ／２遅延される。
【０００７】
同様に、ＵＥから送信されるアップリンクデータもＴＲＴＴ／２遅延されて基地局に着信し、ＵＥから送信されるアップリンクデータを基地局のアップリンクサブフレームの受信窓口内に的確に落ちるためには、ＵＥからそのダウンリンクフレームタイミングクロックよりＴＲＴＴアドバンスしてアップリンクデータを送信する必要があり、そのタイミングアドバンス量が即ちＴＡである。
【０００８】
時分割複信（ＴＤＤ：Ｔｉｍｅ  Ｄｉｖｉｓｉｏｎ  Ｄｕｐｌｅｘ）システムにとっては、アップリンクダウンリンク変換があるため、このタイミングアドバンス量がセルにおけるＵＥの位置に関わる以外に、基地局の受信から送信までの変換時間にも関わる。アップリンクダウンリンクの変換があり、基地局とＵＥのアップリンクダウンリンクの切替を、無線周波数デバイスの変換により実現する必要があるため、ダウンリンクからアップリンクまでのガード時間（ＴＤＵ）およびアップリンクからダウンリンクまでのガード時間（ＴＵＤ）を必要とし、ガード時間内で基地局はデータの送受信操作を行わない。具体的な値は以下の通りである。
［数式１］ＴＤＵ＝ｍａｘ（ＴＲＴＴ＋ＴＵＥ，Ｒｘ−Ｔｘ，ＴｅＮｏｄｅＢ，Ｔｘ−Ｒｘ）
［数式２］ＴＵＤ＝ｍａｘ（ＴＵＥ，Ｔｘ−Ｒｘ，ＴｅＮｏｄｅＢ，Ｒｘ−Ｔｘ）
【０００９】
ここで、ＴＵＥ，Ｒｘ−ＴｘはＵＥの受信から送信までの変換時間であり、ＴｅＮｏｄｅＢ，Ｔｘ−Ｒｘは基地局の送信から受信までの変換時間であり、ＴＵＥ，Ｔｘ−ＲｘはＵＥの送信から受信までの変換時間であり、ＴｅＮｏｄｅＢ，Ｒｘ−Ｔｘは基地局の受信から送信までの変換時間である。この４つのパラメータは基地局とＵＥのデバイス性能によって決定され、最終的には規格において決定されるものであり、あるいは時間テンプレートと呼ばれるか、例えば、表１に示す典型値のようであり、単位はマイクロ秒（μｓ）である。
【００１０】
【表１】
2011519232.tif 000023
【００１１】
従来のＬＴＥ  ＴＤＤシステムには１つのガード間隔（ＧＰ）しか存在しなく、ここで、ＧＰにはダウンリンクからアップリンクまでのガード間隔ＴＤＵとアップリンクからダウンリンクまでのガード間隔ＴＵＤが同時に含まれる。即ち、
ＧＰ＝ＴＤＵ＋ＴＵＤ
【００１２】
実際のＴＵＤは基地局側のアップリンク受信タイミング窓口のアドバンスにより実現され、図２に示すように、基地局のダウンリンク送信窓口とアップリンク受信窓口との間の間隔はＴＤＵであり、アップリンク受信窓口から次のダウンリンク送信窓口までの間隔はＴＵＤである。基地局から送信されるダウンリンクデータはＴＲＴＴ／２遅延されてＵＥに受信される。ＵＥにとって、その送信するアップリンクデータを基地局受信窓口内に的確に落ちるためには、ＵＥのアップリンク送信タイミングアドバンス量がＴＴＡ＝ＴＲＴＴ＋ＴＵＤであるべきである。つまり、ＴＤＤシステムにおいてＵＥのタイミングアドバンス量はセルにおけるＵＥの位置に関わるだけでなく、アップリンクからダウンリンクまでのガード時間にも関わり、これはＦＤＤシステムとの相違点である。しかしながら、従来技術ではＴＤＤシステムにおけるタイミングアドバンス量ＴＡを如何に指示するかについて具体的な解決手段が提供されていない。
【発明の開示】
【発明が解決しようとする課題】
【００１３】
本発明は上記に鑑みてなされたものであって、時分割複信システムに適用できるアップリンク送信タイミングアドバンス指示を実現する方法および装置を提供することを目的とする。
【課題を解決するための手段】
【００１４】
本発明の実施例に係るアップリンク送信タイミングアドバンス指示を実現する方法であって、
ユーザ機器は、タイミングアドバンス量ＴＡ指示シグナリングを受信し、前記ＴＡ指示シグナリングに対応するＴＡ値と予め設定されたＴＡ調整オフセット量とを加算して、実際のアップリンク送信タイミングアドバンス量ＴＡ’を得、
ユーザ機器は、前記実際のアップリンク送信タイミングアドバンス量ＴＡ’に応じてアップリンクデータを送信する、ことを含む。
本発明の実施例に係る上記のアップリンク送信タイミングアドバンス指示を実現するユーザ機器であって、
基地局からのＴＡ指示シグナリングを受信するシグナリング受信モジュールと、
アップリンクからダウンリンクまでのガード時間ＴＵＤを設定し記憶し、前記ＴＡ指示シグナリングに対応するＴＡ値と前記ガード時間ＴＵＤとを加算して、実際のアップリンク送信タイミングアドバンス量ＴＡ’＝ＴＡ＋ＴＵＤを得るオフセット調整モジュールと、
前記オフセット調整モジュールで得られた実際のアップリンク送信タイミングアドバンス量ＴＡ’に基づいて、アップリンクデータを送信するアップリンクデータ送信モジュールと、を含む。
【００１５】
また、本発明の実施例に係るアップリンク送信タイミングアドバンス指示を実現する方法であって、
基地局とユーザ機器にＴＡ調整指示表を設定し、ＴＤＤシステムとＦＤＤシステムは前記ＴＡ調整指示表内の一部の項目を多重使用し、
基地局はユーザ機器から送信されたアップリンクデータを同期に検出して、ユーザ機器の次のアップリンクデータ送信に必要な送信タイミングアドバンス量ＴＡを決定して、基地局に設定されたＴＡ調整指示表に基づいて前記ＴＡをＴＡ指示シグナリングにマッピングしてユーザ機器に送信し、
ユーザ機器は受信されたＴＡ指示シグナリングに基づいてユーザ機器に設定されたＴＡ調整指示表を検索して、対応するＴＡ値を得、
ユーザ機器はＴＡのタイミングアドバンス量に応じて次のアップリンクデータを送信する、ことを含む。
【００１６】
また、本発明の実施例に係る上記のアップリンク送信タイミングアドバンス指示を実現する基地局であって、
ＴＡ指示シグナリングとＴＡ値との対応関係を含み、ＴＤＤシステムとＦＤＤシステムとによってその内の一部の項目が多重使用されるＴＡ調整指示表を設定し記憶するＴＡ調整指示モジュールと、
受信されたアップリンクデータを同期に検出し、検出結果に基づいてユーザ機器の次のアップリンクデータ送信に必要なＴＡを決定する同期検出モジュールと、
前記ＴＡ調整指示モジュール内のＴＡ調整指示表を検索して、同期検出モジュールで決定されたＴＡ値に相応するＴＡ指示シグナリングを得るマッピングモジュールと、
前記マッピングモジュールで得られたＴＡ指示シグナリングをユーザ機器へ送信するＴＡ指示モジュールと、を含む。
【００１７】
また、本発明の実施例に係る上記アップリンク送信タイミングアドバンス指示を実現するユーザ機器であって、
ＴＡ指示シグナリングとＴＡ値との対応関係を含み、ＴＤＤシステムとＦＤＤシステムとによってその内の一部の項目が多重使用されるＴＡ調整指示表を設定し記憶するＴＡ調整指示モジュールと、
前記ＴＡ調整指示モジュールのＴＡ調整指示表を検索して、前記シグナリング受信モジュールで受信されたＴＡ指示シグナリングに対応するＴＡ値を得るマッピングモジュールと、
前記マッピングモジュールで得られたＴＡ値に基づいてアップリンクデータを送信するアップリンクデータ送信モジュールと、を含む。
【発明の効果】
【００１８】
上記の解決手段からわかるように、本発明の実施例では、ＴＡの調整オフセット量をユーザ機器に設定し、ユーザ機器は受信されたＴＡを調整して、実際のアップリンクタイミングアドバンス量を得、または、ＦＤＤシステムとＴＤＤシステムとによって多重使用されるＴＡ調整指示表を採用して、ＴＤＤシステムにおけるＴＡを得る。本発明の実施例によれば、ＴＤＤシステムのアップリンク送信タイミングアドバンス指示を実現する具体的な方案を提供し、ＴＤＤとＦＤＤの設計の一致性を最大限に実現する。
【図面の簡単な説明】
【００１９】
【図１】ＦＤＤシステムに伝播遅延が現れる原理を示す図である。
【図２】ＴＤＤシステムにおけるタイミングアドバンス量と、伝播遅延と、ガード時間との関係を示す図である。
【図３】本発明の実施例１に係るアップリンク送信タイミングアドバンス指示を実現するフローチャートである。
【図４】本発明の実施例１に係るユーザ機器のモジュールを示す図である。
【図５】本発明の実施例２に係るアップリンク送信タイミングアドバンス指示を実現するフローチャートである。
【図６】本発明の実施例２に係る基地局のモジュールを示す図である。
【図７】本発明の実施例２に係るユーザ機器のモジュールを示す図である。
【発明を実施するための最良の形態】
【００２０】
ＴＤＤシステムとＦＤＤシステムとのタイミングアドバンス量の異なりに対して、本発明の実施例では、ＴＤＤシステムに適用できるアップリンク送信タイミングアドバンス指示を実現する解決方案を提供している。この解決手段の特徴は、ＦＤＤシステムのアップリンク送信タイミングアドバンス手段の枠組みをなるべく保持するとともに、ＴＤＤシステムの実際のニーズを満たすことができることである。
【００２１】
本発明の目的、解決手段とメリットをさらに明確にするために、以下、図面を参照して本発明をさらに詳しく説明する。
【００２２】
［実施例１］
基地局側ではＦＤＤシステムと同じ処理方式を保持し、ＵＥ側でＴＤＤシステムのニーズに適応するように、ＴＡを変化する。
【００２３】
本実施例において、基地局側から送信されるＴＡタイミングアドバンス量の指示はＦＤＤシステムと完全に同じ方法を採用し、即ち、ＴＡのダイナミックレンジ、粒度、シグナリング指示、および各項目により表されるＴＡ値が全てＦＤＤシステムと同じである。ＴＵＤを１つのパラメータとしてＵＥに固定化し、数式２と規格で定義された表２に示すような時間テンプレートとに基づいて具体的なＴＵＤパラメータを得、得られたＴＵＤを固定値としてＵＥに記憶する。ＵＥは基地局から送信されたタイミングアドバンス量ＴＡを受信した場合、ＴＵＤと加算してＴＡ’＝ＴＡ＋ＴＵＤを得、ＴＡ’を実際のアップリンク送信タイミングアドバンス量としてアップリンク送信のタイミング時刻を決定する。
【００２４】
実施例１に係るアップリンク送信タイミングアドバンス指示を実現する具体的なフローは図３に示すように、以下のようなステップを含む。
【００２５】
ステップ３０１で、ＴＤＤ基地局とＵＥに予めＴＡ調整指示表を設定し、ＴＡ調整指示表にはＴＡ指示シグナリングとＴＡ値との対応関係が含まれる。表２は該ＴＡ調整指示表の一例を示し、この表２における各項目の内容はＦＤＤシステムと同じように設定されることができ、即ち、数量化レベル、粒度、ダイナミックレンジ、および各シグナリング指示項目に対応するＴＡ調整値は全てＦＤＤシステムと同じように設定されることができる。
【００２６】
【表２】
2011519232.tif 000024
【００２７】
ＦＤＤシステムにおいて、セル端のＵＥに対して、それに必要なタイミングアドバンス量は最大のＴＡ＿ｍａｘ＿ＦＤＤ＝ＴＲＴＴ＿ｍａｘである。ＴＡ調整粒度をｄｅｌｔａ＿ＴＡに設定する場合、該ＴＡダイナミックレンジ［０、ＴＡ＿ｍａｘ＿ＦＤＤ］内の全てのＴＡ値を数量化指示するに
【００２８】
【数１】
2011519232.tif 000025
【００２９】
ｂｉｔｓのシグナリングが必要であり、ここで、記号
【００３０】
【数２】
2011519232.tif 000026
【００３１】
は整数への切り上げを表す。例えば、ＬＴＥにおいて最大１００ｋｍのセル半径を支持し、対応するＴＲＴＴ＿ｍａｘ＝２＊１００ｋｍ／Ｃ  ＝６６６．６７ｕｓであり、つまり、本セルのＵＥの最大タイミングアドバンス量はＴＡ＿ｍａｘ＿ＦＤＤ＝ＴＲＴＴ＿ｍａｘ＝６６６．６７ｕｓである。ＴＡ調整粒度をｄｅｌｔａ＿ＴＡ＝０．５２ｕｓ（即ち１６Ｔｓ）に設定する場合、Ｍ＝１１になる。基地局は異なるＴＡ指示シグナリングを介してセルの異なる位置にあるＵＥの送信タイミングアドバンス量ＴＡを設定する。
【００３２】
ステップ３０２で、ＵＥ側に予めＴＡ調整オフセット量ＴＵＤを設定する。前記ＴＡ調整オフセット量ＴＵＤはＴＤＤシステムのアップリンクからダウンリンクまでのガード間隔ＴＵＤであり、数式ＴＵＤ＝ｍａｘ（ＴＵＥ，Ｔｘ−Ｒｘ，ＴｅＮｏｄｅＢ，Ｒｘ−Ｔｘ）によって決定されてよく、または、基地局からＴＵＤを直接にＵＥに送信してもよい。
【００３３】
上記のステップ３０１と３０２は初期化ステップであり、即ちシステムの初期化段階で１回実行するだけでよい。
【００３４】
ステップ３０３で、ＴＤＤ基地局はＵＥから送信されたアップリンクデータを同期に検出し、ＵＥのアップリンクデータ送信に必要な送信タイミングアドバンス量ＴＡを決定する。
【００３５】
ステップ３０４で、ＴＤＤ基地局は、例えば表２に示すようなＴＡ調整指示表に基づいて、ＴＡ値をＭビットのシグナリングにマッピングしてＵＥに通知する。
【００３６】
ステップ３０５で、ＵＥは該Ｍビットのシグナリング通知を受信し、例えば表２に示すようなＴＡ調整指示表に基づいて、それを具体的なＴＡ値にマッピングする。
【００３７】
ステップ３０６で、ＵＥは該通知のＴＡ値と予め設定されたＴＡ調整オフセット量ＴＵＤとを加算して実際のアップリンク送信タイミングアドバンス量ＴＡ’＝ＴＡ＋ＴＵＤを形成する。
【００３８】
ステップ３０７で、ＵＥは実際のアップリンク送信タイミングアドバンス量ＴＡ’に応じてアップリンクデータを送信してから、ステップ３０３へ移行する。
【００３９】
上記の実施例におけるフローを実現するためのＵＥは、従来のＵＥのもとで改善される必要があり、具体的には図４に示すように、
ＴＡ指示シグナリングとＴＡ値との対応関係を含むＴＡ調整指示表を設定し記憶するＴＡ調整指示モジュール４０１と、
基地局からのＴＡ指示シグナリングを受信するシグナリング受信モジュール４０２と、
前記ＴＡ調整指示モジュールのＴＡ調整指示表を検索して、前記シグナリング受信モジュールで受信されたＴＡ指示シグナリングに対応するＴＡ値を得るマッピングモジュール４０３と、
アップリンクからダウンリンクまでのガード時間ＴＵＤを設定し記憶し、前記マッピングモジュール４０３で得られたＴＡ値と前記ガード時間ＴＵＤとを加算して、実際のアップリンク送信タイミングアドバンス量ＴＡ’＝ＴＡ＋ＴＵＤを得るオフセット調整モジュール４０４と、
前記オフセット調整モジュール４０４で得られた実際のアップリンク送信タイミングアドバンス量ＴＡ’に基づいて、アップリンクデータを送信するアップリンクデータ送信モジュール４０５と、を含む。
【００４０】
［実施例２］
基地局とＵＥにＦＤＤシステムとＴＤＤシステムに共通に使用されるＴＡ調整指示表を配置し、ＦＤＤ基地局とＴＤＤ基地局は該ＴＡ調整指示表の異なる部分集合を使用してＦＤＤ  ＵＥとＴＤＤ  ＵＥのアップリンクタイミングアドバンス量を指示し、即ち、ＴＤＤシステムとＦＤＤシステムは前記ＴＡ調整指示表内の一部の項目を多重使用し、ＦＤＤ  ＵＥとＴＤＤ  ＵＥは該指示されたＴＡに基づいて同じタイミングアドバンス操作を行い、ＴＤＤ  ＵＥはＦＤＤシステムでの処理と同じ処理を保持し、即ち、受信されたＴＡに基づいてアップリンクデータ送信を行う。
【００４１】
ＴＤＤシステムのＴＡ粒度をＦＤＤシステムのＴＡ粒度と同じように確保しながら、ＴＤＤシステムの最大ＴＡダイナミックレンジに基づいて、ＴＤＤシステムとＦＤＤシステムとに共通に使用されるＴＡ調整指示表を設計する。ＴＤＤシステムの最大タイミングアドバンス量ＴＡ＿ｍａｘ＿ＴＤＤおよびＦＤＤシステムの最大タイミングアドバンス量ＴＡ＿ｍａｘ＿ＦＤＤは以下のような関係を満たす。
［数式３］ＴＡ＿ｍａｘ＿ＴＤＤ＝ＴＡ＿ｍａｘ＿ＦＤＤ＋ＴＵＤ
【００４２】
従って、該ＴＡダイナミックレンジ［０，ＴＡ＿ｍａｘ＿ＴＤＤ］内の全てのＴＡ値を指示するに
【００４３】
【数３】
2011519232.tif 000027
【００４４】
ｂｉｔｓのシグナリングが必要である。該ダイナミックレンジに基づいてＴＡ調整指示表を設計し、該表はＦＤＤシステムとＴＤＤシステムとに共通に使用され、ＦＤＤ基地局は表内の第０項目から第
【００４５】
【数４】
2011519232.tif 000028
【００４６】
項目までを使用してＦＤＤシステムのＴＡ値を指示する。ＴＤＤ基地局は表内の第
【００４７】
【数５】
2011519232.tif 000029
【００４８】
項目から第
【００４９】
【数６】
2011519232.tif 000030
【００５０】
項目までを使用してＴＤＤシステムのＴＡ値を指示する。即ち、ＴＤＤシステムとＦＤＤシステムは同一のＴＡシグナリング指示表内の異なる集合を使用してそのＴＡ値を指示する。
【００５１】
例えば、表２と数式２によって得られるＴＵＤの保守値は２０ｕｓであり、従ってＴＡ＿ｍａｘ＿ＴＤＤ＝ＴＡ＿ｍａｘ＿ＦＤＤ＋ＴＵＤ＝666.67us＋20us＝686.67usであり、ＴＡ調整粒度をまた０．５２ｕｓ（１６Ｔｓ）に設定する場合、数量化指示にＭ’＝１１ｂｉｔｓのシグナリングが必要であり、下表に示すようなＴＡ指示表を形成する。ＦＤＤは第０〜１２８３項目を使用して異なるＴＡ調整値を指示し、ＴＤＤは第３９〜１３２１項目を使用して異なるＴＡ調整値を指示し、ここで、第３９行〜第１２８３行はＦＤＤシステムとＴＤＤシステムに共通に使用されるＴＡ調整値である。
【００５２】
【表３】
2011519232.tif 000031
【００５３】
本発明の実施例２に係るアップリンク送信タイミングアドバンス指示を実現するフローは図５に示すように、以下のようなステップを含む。
【００５４】
ステップ５０１で、ＴＤＤ基地局とＵＥに予めＴＡ調整指示表を設定し、該表は例えば表３に示すようであり、ＴＤＤシステムはＦＤＤシステムとＴＡ調整粒度が同じであるが、表内でＦＤＤシステムと異なる集合を使用してその具体的なＴＡ調整値を指示する。
【００５５】
ステップ５０２で、ＴＤＤ基地局はＵＥから送信されたアップリンクデータを同期に検出し、ＵＥの次のアップリンクデータ送信に必要な送信タイミングアドバンス量ＴＡを決定する。
【００５６】
ステップ５０３で、ＴＤＤ基地局は、例えば表３に示すような、ＴＤＤが使用する集合内の対応関係に基づいて、ＴＡ値をＭビットのシグナリングにマッピングしてＵＥに通知する。
【００５７】
ステップ５０４で、ＵＥは該Ｍビットのシグナリング通知を受信し、例えば表３に示すような、ＴＤＤが使用する集合内の対応関係に基づいて、それを具体的なＴＡ調整値にマッピングする。
【００５８】
ステップ５０５で、ＵＥは前記ＴＡ調整値に応じてアップリンクデータを送信し、ステップ５０２へ移行する。
【００５９】
実施例２のフローを実現するための基地局のモジュールは図６に示すように、
ＴＡ指示シグナリングとＴＡ値との対応関係を含み、ＴＤＤシステムとＦＤＤシステムとによってその内の一部の項目が多重使用されるＴＡ調整指示表を設定し記憶するＴＡ調整指示モジュール６０１と、
受信されたアップリンクデータを同期に検出し、検出結果に基づいてユーザ機器の次のアップリンクデータ送信に必要なＴＡを決定する同期検出モジュール６０２と、
前記ＴＡ調整指示モジュール６０１内のＴＡ調整指示表を検索して、同期検出モジュール６０２で決定されたＴＡ値に相応するＴＡ指示シグナリングを得るマッピングモジュール６０３と、
前記マッピングモジュール６０３で得られたＴＡ指示シグナリングをユーザ機器へ送信するＴＡ指示モジュール６０４と、を含む。
【００６０】
対応するＵＥのモジュール構成は図７に示すように、
ＴＡ指示シグナリングとＴＡ値との対応関係を含み、ＴＤＤシステムとＦＤＤシステムとによってその内の一部の項目が多重使用されるＴＡ調整指示表を設定し記憶するＴＡ調整指示モジュール７０１と、
基地局からのＴＡ指示シグナリングを受信するシグナリング受信モジュール７０２と、
前記ＴＡ調整指示モジュール７０１のＴＡ調整指示表を検索して、前記シグナリング受信モジュール７０２で受信されたＴＡ指示シグナリングに対応するＴＡ値を得るマッピングモジュール７０３と、
前記マッピングモジュール７０３で得られたＴＡ値に基づいてアップリンクデータを送信するアップリンクデータ送信モジュール７０４と、を含む。
【００６１】
本発明の実施例は、ＴＤＤシステムのアップリンク送信タイミングアドバンス指示を実現する具体的な方案を提供して、プロトコルの空白を埋めた。該方案によればＴＤＤとＦＤＤの設計の一致性を最大限に実現し、ＦＤＤシステムにおいて既に成熟した処理方法をＴＤＤシステムに便利に移植でき、ＴＤＤシステムの実施を便利にする。
【００６２】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【００６３】
４０１，６０１，７０１  ＴＡ調整指示モジュール
４０２，７０２  シグナリング受信モジュール
４０３，６０３，７０３  マッピングモジュール
４０４  オフセット調整モジュール
４０５，７０４  アップリンクデータ送信モジュール
６０２  同期検出モジュール
６０４  ＴＡ指示モジュール
【手続補正２】
【補正対象書類名】特許請求の範囲
【補正対象項目名】全文
【補正方法】変更
【補正の内容】
【特許請求の範囲】
【請求項１】
アップリンク送信タイミングアドバンス指示を実現する方法であって、
ユーザ機器は、タイミングアドバンス量ＴＡ指示シグナリングを受信し、前記ＴＡ指示シグナリングに対応するＴＡ値と予め設定されたＴＡ調整オフセット量とを加算して、実際のアップリンク送信タイミングアドバンス量ＴＡ’を得、
ユーザ機器は、前記実際のアップリンク送信タイミングアドバンス量ＴＡ’に応じてアップリンクデータを送信する、
ことを含むことを特徴とするアップリンク送信タイミングアドバンス指示を実現する方法。
【請求項２】
前記ＴＡ調整オフセット量は時分割複信システムのアップリンクからダウンリンクまでのガード間隔ＴＵＤであることを特徴とする請求項１に記載のアップリンク送信タイミングアドバンス指示を実現する方法。
【請求項３】
ユーザ機器には、ＴＡ指示シグナリングとＴＡ値との対応関係を含むＴＡ調整指示表が予め設定されており、
前記ユーザ機器がタイミングアドバンス量ＴＡ指示シグナリングを受信した後に、
ユーザ機器が前記ＴＡ指示シグナリングに基づいて前記ＴＡ調整指示表を検索して、対応するＴＡ値を得る、
ことをさらに含むことを特徴とする請求項１に記載のアップリンク送信タイミングアドバンス指示を実現する方法。
【請求項４】
前記ユーザ機器が前記実際のアップリンク送信タイミングアドバンス量ＴＡ’に応じてアップリンクデータを送信した後に、
基地局がユーザ機器から送信されたアップリンクデータを同期に検出して、ユーザ機器の次のアップリンクデータ送信に必要なタイミングアドバンス量を決定し、前記タイミングアドバンス量に対応するＴＡ指示シグナリングをユーザ機器に送信する、
ことをさらに含むことを特徴とする請求項１に記載のアップリンク送信タイミングアドバンス指示を実現する方法。
【請求項５】
ユーザ機器であって、
基地局からのＴＡ指示シグナリングを受信するシグナリング受信モジュールと、
ＴＡ調整オフセット量を設定し記憶し、前記ＴＡ指示シグナリングに対応するＴＡ値と前記ＴＡ調整オフセット量とを加算して、実際のアップリンク送信タイミングアドバンス量ＴＡ’を得るオフセット調整モジュールと、
前記オフセット調整モジュールで得られた実際のアップリンク送信タイミングアドバンス量ＴＡ’に基づいて、アップリンクデータを送信するアップリンクデータ送信モジュールと、
を含むことを特徴とするユーザ機器。
【請求項６】
前記ＴＡ調整オフセット量は時分割複信システムのアップリンクからダウンリンクまでのガード間隔ＴＵＤであることを特徴とする請求項５に記載のユーザ機器。
【請求項７】
ＴＡ指示シグナリングとＴＡ値との対応関係を含むＴＡ調整指示表を設定し記憶するＴＡ調整指示モジュールと、
前記ＴＡ調整指示モジュールのＴＡ調整指示表を検索して、前記シグナリング受信モジュールで受信されたＴＡ指示シグナリングに対応するＴＡ値を得て、前記ＴＡ値を前記オフセット調整モジュールに出力するマッピングモジュールと、
をさらに含むことを特徴とする請求項５に記載のユーザ機器。
【請求項８】
アップリンク送信タイミングアドバンス指示を実現する方法であって、
基地局とユーザ機器にＴＡ調整指示表を設定し、ＴＤＤシステムとＦＤＤシステムは前記ＴＡ調整指示表内の一部の項目を多重使用し、
基地局はユーザ機器から送信されたアップリンクデータを同期に検出して、ユーザ機器の次のアップリンクデータ送信に必要な送信タイミングアドバンス量ＴＡを決定して、基地局に設定されたＴＡ調整指示表に基づいて前記ＴＡをＴＡ指示シグナリングにマッピングしてユーザ機器に送信し、
ユーザ機器は受信されたＴＡ指示シグナリングに基づいてユーザ機器に設定されたＴＡ調整指示表を検索して、対応するＴＡ値を得、
ユーザ機器はＴＡのタイミングアドバンス量に応じて次のアップリンクデータを送信する、
ことを含むことを特徴とするアップリンク送信タイミングアドバンス指示を実現する方法。
【請求項９】
前記ＴＤＤシステムとＦＤＤシステムに共通に使用されるＴＡ調整指示表に統一のＴＡ調整粒度ｄｅｌｔａ＿ＴＡを採用し、ＴＡ値の範囲は０〜ＴＡ＿ｍａｘ＿ＦＤＤ＋ＴＵＤであり、ここで、ＴＡ＿ｍａｘ＿ＦＤＤはＦＤＤシステムのセルの最大タイミングアドバンス量であり、ＴＵＤはＴＤＤシステムのアップリンクからダウンリンクまでのガード時間であり、前記ＴＡ調整指示表においてはＴＡ値の昇順に配列され、ＦＤＤシステムの基地局は前記ＴＡ調整指示表内の第０項〜第
【数１】
2011519232.tif 000032
項を使用してＦＤＤシステムのＴＡ値を指示し、ＴＤＤ基地局は表内の第
【数２】
2011519232.tif 000033
項〜第
【数３】
2011519232.tif 000034
項を使用してＴＤＤシステムのＴＡ値を指示し、記号
【数４】
2011519232.tif 000035
は整数への切り上げを表す、ことを特徴とする請求項８に記載のアップリンク送信タイミングアドバンス指示を実現する方法。
【請求項１０】
基地局であって、
ＴＡ指示シグナリングとＴＡ値との対応関係を含み、ＴＤＤシステムとＦＤＤシステムとによってその内の一部の項目が多重使用されるＴＡ調整指示表を設定し記憶するＴＡ調整指示モジュールと、
受信されたアップリンクデータを同期に検出し、検出結果に基づいてユーザ機器の次のアップリンクデータ送信に必要なＴＡを決定する同期検出モジュールと、
前記ＴＡ調整指示モジュール内のＴＡ調整指示表を検索して、同期検出モジュールで決定されたＴＡ値に対応するＴＡ指示シグナリングを得るマッピングモジュールと、
前記マッピングモジュールで得られたＴＡ指示シグナリングをユーザ機器へ送信するＴＡ指示モジュールと、
を含むことを特徴とする基地局。
【請求項１１】
ユーザ機器であって、
ＴＡ指示シグナリングとＴＡ値との対応関係を含み、ＴＤＤシステムとＦＤＤシステムとによってその内の一部の項目が多重使用されるＴＡ調整指示表を設定し記憶するＴＡ調整指示モジュールと、
基地局からのＴＡ指示シグナリングを受信するシグナリング受信モジュールと、
前記ＴＡ調整指示モジュールのＴＡ調整指示表を検索して、前記シグナリング受信モジュールで受信されたＴＡ指示シグナリングに対応するＴＡ値を得るマッピングモジュールと、
前記マッピングモジュールで得られたＴＡ値に基づいてアップリンクデータを送信するアップリンクデータ送信モジュールと、
を含むことを特徴とするユーザ機器。
【国際調査報告】
2011519232.tif 000036
2011519232.tif 000037
2011519232.tif 000038
2011519232.tif 000039
2011519232.tif 000040
2011519232.tif 000041